(57)【要約】【課題】マニュアルフォーカス時のピント合わせの操作性を更に向上させる技術を提供する。【解決手段】撮影範囲の所定の領域における合焦度を取得する第１の取得手段と、操作手段が操作されたことに応じてフォーカスレンズを駆動する駆動手段と、を備え、前記駆動における前記操作手段の単位操作量あたりの前記フォーカスレンズの移動量は、前記合焦度が合焦度閾値より大きい場合の方が、前記合焦度が前記合焦度閾値より小さい場合よりも小さく、前記合焦度閾値は、前記合焦度が上がる方向に前記フォーカスレンズが移動する場合、前記合焦度が下がる方向に前記フォーカスレンズが移動する場合よりも高いことを特徴とする焦点調節装置を提供する。【選択図】図３
2020012890.tif 000002
【特許請求の範囲】
【請求項１】
撮影範囲の所定の領域における合焦度を取得する第１の取得手段と、
操作手段が操作されたことに応じてフォーカスレンズを駆動する駆動手段と、
を備え、
前記駆動における前記操作手段の単位操作量あたりの前記フォーカスレンズの移動量は、前記合焦度が合焦度閾値より大きい場合の方が、前記合焦度が前記合焦度閾値より小さい場合よりも小さく、
前記合焦度閾値は、前記合焦度が上がる方向に前記フォーカスレンズが移動する場合、前記合焦度が下がる方向に前記フォーカスレンズが移動する場合よりも高い
ことを特徴とする焦点調節装置。
【請求項２】
前記操作手段の操作速度が速度閾値より高い場合、前記駆動における前記操作手段の単位操作量あたりの前記フォーカスレンズの移動量は、前記合焦度に関わらず、前記操作速度が前記速度閾値より低く前記合焦度が前記合焦度閾値より大きい場合よりも大きい
ことを特徴とする請求項１に記載の焦点調節装置。
【請求項３】
前記操作手段の操作速度が前記速度閾値より高い場合、前記駆動における前記操作手段の単位操作量あたりの前記フォーカスレンズの移動量は、前記合焦度に関わらず、前記操作速度が前記速度閾値より低く前記合焦度が前記合焦度閾値より小さい場合と等しい
ことを特徴とする請求項２に記載の焦点調節装置。
【請求項４】
前記撮影範囲に対応する撮像画像を含む撮影画面を表示手段に表示する表示制御手段を更に備え、
前記表示制御手段は、前記合焦度が前記合焦度閾値より大きいか小さいかに応じて前記撮影画面の表示態様を変化させる
ことを特徴とする請求項１乃至３のいずれか１項に記載の焦点調節装置。
【請求項５】
前記表示制御手段は、前記撮影画面に、前記合焦度を示す画像を、前記合焦度が前記合焦度閾値より大きいか小さいかに応じて異なる色で表示する
ことを特徴とする請求項４に記載の焦点調節装置。
【請求項６】
前記合焦度を示す前記画像は、前記合焦度に応じて角度が変化する図形を含み、
前記表示制御手段は、前記撮影画面に、前記合焦度が前記合焦度閾値に等しい場合に対応する前記図形の角度を示す画像を表示する
ことを特徴とする請求項５に記載の焦点調節装置。
【請求項７】
前記所定の領域の目標合焦度を取得する第２の取得手段を更に備え、
前記表示制御手段は、前記合焦度が前記目標合焦度に等しい場合に、前記所定の領域が合焦状態であることを示す角度で前記図形を表示する
ことを特徴とする請求項６に記載の焦点調節装置。
【請求項８】
前記表示制御手段は、前記撮影画面において、前記合焦度が前記合焦度閾値より大きいか小さいかに応じて異なる色でＭＦピーキングの表示を行う
ことを特徴とする請求項４乃至７のいずれか１項に記載の焦点調節装置。
【請求項９】
撮影モードを設定する設定手段を更に備え、
前記設定された撮影モードが所定の撮影モードの場合に、前記駆動における前記操作手段の単位操作量あたりの前記フォーカスレンズの移動量は、前記合焦度が合焦度閾値より大きい場合の方が、前記合焦度が前記合焦度閾値より小さい場合よりも小さい
ことを特徴とする請求項１乃至８のいずれか１項に記載の焦点調節装置。
【請求項１０】
撮影範囲の所定の領域における合焦度を取得する取得手段と、
操作手段が操作されたことに応じてフォーカスレンズを駆動する駆動手段と、
を備え、
前記駆動における前記操作手段の単位操作量あたりの前記フォーカスレンズの移動量は、前記合焦度が合焦度閾値より大きい場合の方が、前記合焦度が前記合焦度閾値より小さい場合よりも小さく、
前記操作手段の操作速度が速度閾値より高い場合、前記駆動における前記操作手段の単位操作量あたりの前記フォーカスレンズの移動量は、前記合焦度に関わらず、前記操作速度が前記速度閾値より小さく前記合焦度が前記合焦度閾値より大きい場合よりも大きい
ことを特徴とする焦点調節装置。
【請求項１１】
撮影範囲の所定の領域における合焦度を取得する取得手段と、
操作手段に対して第１の操作が行われたことに応じてフォーカスレンズを第１の方向に駆動する駆動手段と、
を備え、
前記駆動手段は、前記第１の操作の継続中に前記合焦度が目標合焦度になった場合、前記フォーカスレンズの前記第１の方向への駆動を停止し、当該停止の後に前記第１の操作が中断して再開した場合、前記フォーカスレンズの前記第１の方向への駆動を再開する
ことを特徴とする焦点調節装置。
【請求項１２】
前記駆動手段は、前記停止の後に前記第１の操作が中断せずに継続して所定の操作量の前記第１の操作が行われた場合、前記フォーカスレンズの前記第１の方向への駆動を再開する
ことを特徴とする請求項１１に記載の焦点調節装置。
【請求項１３】
前記駆動手段は、前記操作手段に対して第２の操作が行われたことに応じて前記フォーカスレンズを前記第１の方向と異なる第２の方向に駆動し、
前記駆動手段は、前記フォーカスレンズの前記第１の方向への駆動を再開した後に前記第１の操作が終了して前記第２の操作が開始し、前記第２の操作の継続中に前記合焦度が目標合焦度になった場合、前記フォーカスレンズの前記第１の方向への駆動を再開してから前記第１の操作が終了するまでの間の前記フォーカスレンズの移動量が閾値より大きければ前記フォーカスレンズの前記第２の方向への駆動を停止し、前記フォーカスレンズの前記第１の方向への駆動を再開してから前記第１の操作が終了するまでの間の前記フォーカスレンズの移動量が前記閾値より小さければ前記フォーカスレンズの前記第２の方向への駆動を継続する
ことを特徴とする請求項１１又は１２に記載の焦点調節装置。
【請求項１４】
前記撮影範囲に対応する撮像画像と前記合焦度を示す画像とを含む撮影画面を表示手段に表示する表示制御手段を更に備え、
前記表示制御手段は、前記第１の操作の継続中に前記フォーカスレンズの前記第１の方向への駆動を停止したことに応じて、前記合焦度を示す前記画像の表示態様を変化させる
ことを特徴とする請求項１１乃至１３のいずれか１項に記載の焦点調節装置。
【請求項１５】
前記目標合焦度は、前記所定の領域の合焦状態に対応する合焦度である
ことを特徴とする請求項１１乃至１４のいずれか１項に記載の焦点調節装置。
【請求項１６】
請求項１乃至１５のいずれか１項に記載の焦点調節装置と、
撮像手段と、
を備えることを特徴とする撮像装置。
【請求項１７】
焦点調節装置が実行する焦点調節方法であって、
撮影範囲の所定の領域における合焦度を取得する第１の取得工程と、
操作手段が操作されたことに応じてフォーカスレンズを駆動する駆動工程と、
を備え、
前記駆動における前記操作手段の単位操作量あたりの前記フォーカスレンズの移動量は、前記合焦度が合焦度閾値より大きい場合の方が、前記合焦度が前記合焦度閾値より小さい場合よりも小さく、
前記合焦度閾値は、前記合焦度が上がる方向に前記フォーカスレンズが移動する場合、前記合焦度が下がる方向に前記フォーカスレンズが移動する場合よりも高い
ことを特徴とする焦点調節方法。
【請求項１８】
焦点調節装置が実行する焦点調節方法であって、
撮影範囲の所定の領域における合焦度を取得する取得工程と、
操作手段が操作されたことに応じてフォーカスレンズを駆動する駆動工程と、
を備え、
前記駆動における前記操作手段の単位操作量あたりの前記フォーカスレンズの移動量は、前記合焦度が合焦度閾値より大きい場合の方が、前記合焦度が前記合焦度閾値より小さい場合よりも小さく、
前記操作手段の操作速度が速度閾値より大きい場合、前記駆動における前記操作手段の単位操作量あたりの前記フォーカスレンズの移動量は、前記合焦度に関わらず、前記操作速度が前記速度閾値より小さく前記合焦度が前記合焦度閾値より大きい場合よりも大きい
ことを特徴とする焦点調節方法。
【請求項１９】
焦点調節装置が実行する焦点調節方法であって、
撮影範囲の所定の領域における合焦度を取得する取得工程と、
操作手段に対して第１の操作が行われたことに応じてフォーカスレンズを第１の方向に駆動する駆動工程と、
を備え、
前記駆動工程は、前記第１の操作の継続中に前記合焦度が目標合焦度になった場合、前記フォーカスレンズの前記第１の方向への駆動を停止し、当該停止の後に前記第１の操作が中断して再開した場合、前記フォーカスレンズの前記第１の方向への駆動を再開する
ことを特徴とする焦点調節方法。
【請求項２０】
コンピュータを、請求項１乃至１５のいずれか１項に記載の焦点調節装置の各手段として機能させるためのプログラム。
【発明の詳細な説明】
【技術分野】
【０００１】
本発明は、焦点調節装置、撮像装置、焦点調節方法、及びプログラムに関する。
【背景技術】
【０００２】
特許文献１で提案されているデジタルカメラは、合焦状態に応じてマニュアルフォーカスのフォーカス操作感度（ユーザ操作量に対するフォーカスレンズ駆動量）を変化させる。特許文献１に開示されているように、ピントズレ量が大きい場合にはフォーカス操作感度を高くし、ピントズレ量が小さい場合にはフォーカス操作感度を低くすることで、マニュアルフォーカス時のピント合わせの操作性を向上することが可能である。
【先行技術文献】
【特許文献】
【０００３】
【特許文献１】特開２０１１−２１５３８３号公報
【発明の概要】
【発明が解決しようとする課題】
【０００４】
マニュアルフォーカス時のピント合わせの操作性を更に向上させることができれば、ユーザにとって好都合である。
【０００５】
本発明はこのような状況に鑑みてなされたものであり、マニュアルフォーカス時のピント合わせの操作性を更に向上させる技術を提供することを目的とする。
【課題を解決するための手段】
【０００６】
上記課題を解決するために、本発明は、撮影範囲の所定の領域における合焦度を取得する第１の取得手段と、操作手段が操作されたことに応じてフォーカスレンズを駆動する駆動手段と、を備え、前記駆動における前記操作手段の単位操作量あたりの前記フォーカスレンズの移動量は、前記合焦度が合焦度閾値より大きい場合の方が、前記合焦度が前記合焦度閾値より小さい場合よりも小さく、前記合焦度閾値は、前記合焦度が上がる方向に前記フォーカスレンズが移動する場合、前記合焦度が下がる方向に前記フォーカスレンズが移動する場合よりも高いことを特徴とする焦点調節装置を提供する。
【発明の効果】
【０００７】
本発明によれば、マニュアルフォーカス時のピント合わせの操作性を更に向上させることが可能となる。
【０００８】
なお、本発明のその他の特徴及び利点は、添付図面及び以下の発明を実施するための形態における記載によって更に明らかになるものである。
【図面の簡単な説明】
【０００９】
【図１】（ａ）デジタルカメラ１００の前面斜視図、（ｂ）デジタルカメラ１００の背面斜視図。
【図２】（ａ）デジタルカメラ１００の内部構成を示す図、（ｂ）デジタルカメラ１００に接続可能なレンズ部１５０及びピントリング７を示す図。
【図３】第１の実施形態に係る撮影処理のフローチャート。
【図４】フォーカスガイドアイコンの表示態様を説明する図。
【図５】第２の実施形態に係る撮影処理のフローチャート。
【図６】目標合焦度の設定画面６０１を示す図。
【図７】フォーカス操作感度に応じてＭＦピーキングの色を変化させる構成を説明する図。
【図８】フォーカス操作感度に応じて撮像部２２から被写体までの距離を示す撮影距離情報表示の色を変化させる構成を説明する図。
【図９】時間とピント位置移動量の関係に関する図。
【図１０】ピントリング７の操作量とピント位置移動量の関係に関する図。
【図１１】マニュアルフォーカス時において、所定のピント位置でピントリング７による操作を無効にする設定に関する各種画面を示す図。
【図１２】マニュアルフォーカス時において、選択被写体の合焦度に応じてピントリング７の操作を無効にする処理と、そのときのフォーカスガイドアイコンの表示に関する説明図。
【図１３】第４の実施形態に係る撮影処理のフローチャート。
【発明を実施するための形態】
【００１０】
以下、添付図面を参照して、本発明の実施形態を説明する。添付図面の全体を通じて、同一の参照符号が付与された要素は、同一又は同様の要素を表す。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。また、別々の実施形態の中で説明されている特徴を適宜組み合せることも可能である。
【００１１】
［第１の実施形態］
図１（ａ）〜（ｂ）に、第１の実施形態に係る焦点調節装置を適用可能な撮像装置の一実施形態としてのデジタルカメラ１００の外観図を示す。図１（ａ）は、デジタルカメラ１００の前面斜視図であり、図１（ｂ）は、デジタルカメラ１００の背面斜視図である。図１（ａ）〜（ｂ）において、表示部２８は画像や各種情報を表示する表示部である。シャッターボタン６１は撮影指示を行うための操作部である。モード切替スイッチ６０は各種モードを切り替えるための操作部である。端子カバー４０は、外部機器との接続ケーブルをデジタルカメラ１００に接続するためのコネクタ（不図示）を保護するカバーである。メイン電子ダイヤル７１は回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は選択枠の移動や画像送りなどを行う回転操作部材である。十字キー７４は上、下、左、右部分をそれぞれ押し込み可能な４方向キーである。十字キー７４の押された部分に応じた操作が可能である。ＳＥＴボタン７５は、主に選択項目の決定などに用いられる押しボタンである。ＬＶボタン７６は、ライブビュー（以下、ＬＶ）のＯＮとＯＦＦを切り替えるボタンである。動画撮影モードにおいては、動画撮影（記録）の開始、停止の指示に用いられる。拡大ボタン７７は、撮影モードのライブビュー表示において拡大モードのＯＮ／ＯＦＦ、及び拡大モード中の拡大率の変更を行うための操作ボタンである。再生モードにおいては再生画像を拡大し、拡大率を増加させるための拡大ボタンとして機能する。縮小ボタン７８は、拡大された再生画像の拡大率を低減させ、表示された画像を縮小させるためのボタンである。再生ボタン７９は、撮影モードと再生モードとを切り替える操作ボタンである。撮影モード中に再生ボタン７９を押下することで再生モードに移行し、記録媒体２００（図２を参照して後述）に記録された画像のうち最新の画像を表示部２８に表示させることができる。シャッターボタン６１、メイン電子ダイヤル７１、電源スイッチ７２、サブ電子ダイヤル７３、十字キー７４、ＳＥＴボタン７５、ＬＶボタン７６、再生ボタン７９は、操作部７０に含まれる。ファインダ１６はフォーカシングスクリーン１３（図２を参照して後述）を観察することで、レンズ部１５０を通して得た被写体の光学像の焦点や構図の確認を行うための覗き込み型のファインダである。グリップ部９０は、ユーザがデジタルカメラ１００を構えた際に右手で握りやすい形状とした保持部である。
【００１２】
図２（ａ）〜（ｂ）は、本実施形態によるデジタルカメラ１００の構成例を示すブロック図である。図２（ｂ）において、レンズ部１５０は、交換可能な撮影レンズを搭載するレンズユニットである。
【００１３】
通信端子１０は、デジタルカメラ１００がレンズ部１５０と通信を行う為の通信端子である。ＡＥセンサー１７は、レンズ部１５０及びクイックリターンミラー１２を介してフォーカシングスクリーン１３上に結像した被写体の輝度を測光する。
【００１４】
焦点検出部１１（ＡＦセンサー）は、クイックリターンミラー１２を介して入射する像を撮像しシステム制御部５０にデフォーカス量情報を出力する位相差検出方式のＡＦセンサーである。システム制御部５０は、デフォーカス量情報に基づいてレンズ部１５０を制御し、位相差ＡＦを行う。
【００１５】
クイックリターンミラー１２は、露光、ライブビュー撮影、動画撮影の際にシステム制御部５０から指示されて、不図示のアクチュエータによりアップダウンされる。クイックリターンミラー１２は、レンズ１０３から入射した光束をファインダ１６側と撮像部２２側とで切替えるためのミラーである。クイックリターンミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またクイックリターンミラー１２はその中央部が光の一部を透過できるようにハーフミラーとなっており、光束の一部を、焦点検出を行うための焦点検出部１１に入射するように透過させる。
【００１６】
ユーザは、ペンタプリズム１４とファインダ１６を介して、フォーカシングスクリーン１３上に結像した像を観察することで、レンズ部１５０を通して得た被写体の光学像の焦点状態や構図の確認が可能となる。
【００１７】
シャッター１０１は、システム制御部５０の制御に従って撮像部２２の露光時間を制御するためのものである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１８】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備えている。また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダの機能を実現することができる。これにより、スルー画像表示（ライブビュー表示）を行える。
【００２０】
不揮発性メモリ５６は、システム制御部５０によって電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２１】
システム制御部５０は、少なくとも１つのプロセッサーを内蔵し、デジタルカメラ１００全体を制御する。システム制御部５０は、前述した不揮発性メモリ５６に記録されたプログラムを実行することで、後述する本実施形態の各処理を実現する。システムメモリ５２には、システム制御部５０の動作用の定数、変数、不揮発性メモリ５６から読み出したプログラム等を展開する。システムメモリ５２としては、ＲＡＭが用いられる。また、システム制御部５０はメモリ３２、Ｄ／Ａ変換器１９、表示部２８等を制御することにより表示制御も行う。
【００２２】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。或いは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２３】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。システム制御部５０は、第１シャッタースイッチ信号ＳＷ１に応じて、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２に応じて、撮像部２２からの信号読み出しから記録媒体２００に画像データを書き込むまでの一連の撮影処理の動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。操作部７０は、ユーザからの操作を受け付ける入力部としての各種操作部材である。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
電源部３０は、アルカリ電池やリチウム電池等の一次電池やＮｉＣｄ電池やＮｉＭＨ電池、Ｌｉ電池等の二次電池、ＡＣアダプタ等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
通信部５４は、無線又は有線ケーブルによって外部機器と接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を外部機器へ送信可能であり、また、外部機器から画像データやその他の各種情報を受信することができる。
【００２９】
外部Ｉ／Ｆ５５は、接続されたレンズの種類（ＩＤ）や、アダプタの接続の有無に関する情報を取得可能である。なお、外部Ｉ／Ｆ５５には、レンズを直接接続することも可能であるし、アダプタを介してレンズを接続することも可能である。
【００３０】
図２（ｂ）は、デジタルカメラ１００に接続可能なレンズ部１５０及びピントリング７を示す図である。レンズ部１５０の外周に沿うように、ピントリング７が配置される。ピントリング７は、レンズ鏡筒周りに沿って回転可能な回転部材である。
【００３１】
図２（ｂ）は、レンズ部１５０の一例として単焦点のレンズを示している。単焦点のレンズには、広角レンズ、標準レンズ、望遠レンズがある。レンズ１０３は通常、複数枚のレンズから構成されるが、ここでは簡略して一枚のレンズのみで示している。通信端子６はレンズ部１５０がデジタルカメラ１００と通信を行う為の通信端子である。レンズ部１５０は、この通信端子６，１０を介してシステム制御部５０と通信する。レンズシステム制御回路４は、絞り駆動回路２を介して絞り１０２の制御を行う。レンズシステム制御回路４は、ＡＦ駆動回路３を介してレンズ１０３の位置を変位させることで焦点を合わせる。ピントリング７は、ピントを調整するためのリング操作部材である。ピントリング７の回転を検知可能なピントリング回転検知部８により回転の有無や回転量が検出され、レンズシステム制御回路４を介してレンズ１０３が制御される。
【００３２】
次に、図３を参照して、マニュアルフォーカス時において、選択被写体の合焦度合いと、合焦度合いの変化の方向に応じて、フォーカス操作感度を決定する処理について説明する。フォーカス操作感度とは、ユーザがフォーカスレンズの駆動を指示するための操作部材の単位操作量あたりの、フォーカスレンズの移動量を意味する。フォーカス操作感度が高い場合（即ち、フォーカスレンズが高感度で駆動される場合）、単位操作量あたりの移動量が大きい。フォーカス操作感度が低い場合（即ち、フォーカスレンズが低感度で駆動される場合）、単位操作量あたりの移動量が小さい。以下の説明では、ユーザがフォーカスレンズの駆動を指示するための操作部材としてピントリング７が用いられ、ピントリング７の回転量が操作部材の操作量に対応するものとする。しかしながら、本実施形態において、ユーザがフォーカスレンズの駆動を指示するための操作部材及びその操作量は、ピントリング７及びその回転量に限定されない。例えば、ユーザがフォーカスレンズの駆動を指示するための操作部材及びその操作量として、メイン電子ダイヤル７１及びその回転量を用いてもよい。
【００３３】
図３は、第１の実施形態に係る撮影処理のフローチャートである。本フローチャートの各ステップの処理は、特に断らない限り、システム制御部５０が不揮発性メモリ５６に記録されたプログラムをシステムメモリ５２に展開して実行することにより実現される。
【００３４】
Ｓ３０１で、システム制御部５０は、撮影モードが簡単撮影モードに設定されているか否かを判定する。簡単撮影モードとは、デジタルカメラ１００が被写体に応じて自動で撮影パラメータを決定する撮影モードである。簡単撮影モードの場合、処理はＳ３０２へ進む。そうでない場合、本フローチャートの処理は終了する。
【００３５】
Ｓ３０２で、システム制御部５０は、ライブビュー表示を開始する。Ｓ３０３で、システム制御部５０は、フォーカス操作感度を変更する合焦度合いの閾値である合焦度閾値ＦｃｓＰｔＴｈをＴｈ＿ｕｐにセットする。
【００３６】
Ｓ３０４で、システム制御部５０は、合焦対象の被写体（領域）がユーザによって選択されているか否かを判定する。被写体が選択されている場合、処理はＳ３０５へ進む。被写体が選択されていない場合、処理はＳ３０６へ進む。
【００３７】
Ｓ３０５で、システム制御部５０は、画面中央を選択被写体とする。
【００３８】
Ｓ３０６で、システム制御部５０は、選択被写体の合焦度ＦｃｓＰｔを取得する。Ｓ３０７で、システム制御部５０は、ＦｃｓＰｔがＦｃｓＰｔＴｈ以上であるか否かを判定する。ＦｃｓＰｔがＦｃｓＰｔＴｈ以上である場合（即ち、合焦度が合焦度閾値以上である場合）、処理はＳ３０８へ進む。ＦｃｓＰｔがＦｃｓＰｔＴｈ以上でない場合（即ち、合焦度が合焦度閾値未満である場合）、処理はＳ３０９へ進む。
【００３９】
Ｓ３０８で、システム制御部５０は、フォーカスガイドアイコン（後述）の色を、フォーカス操作感度が低感度であることを示す色（ここでは、白とする）に設定する。また、システム制御部５０は、ＭＦピーキング（後述）の色を、フォーカス操作感度が低感度であることを示す色に設定してもよい。
【００４０】
Ｓ３０９で、システム制御部５０は、フォーカスガイドアイコンの色を、フォーカス操作感度が高感度であることを示す色（ここでは、グレーとする）に設定する。また、システム制御部５０は、ＭＦピーキングの色を、フォーカス操作感度が高感度であることを示す色に設定してもよい。
【００４１】
Ｓ３１０で、システム制御部５０は、ＦｃｓＰｔの値に応じてフォーカスガイドアイコンの表示角度（後述）を決定する。
【００４２】
Ｓ３１１で、システム制御部５０は、フォーカスガイドアイコンを選択被写体上に重畳表示する。フォーカスガイドアイコンの表示色は、Ｓ３０８又はＳ３０９において設定された色であり、フォーカスガイドアイコンの表示角度は、Ｓ３１０において決定された角度である。また、フォーカスガイドアイコンが既に表示されている場合は、表示色及び表示角度の更新が行われる。フォーカスガイドアイコンの表示態様の詳細については、図４を参照して後述する。
【００４３】
Ｓ３１２で、システム制御部５０は、第２シャッタースイッチ６４が押下されたか否か（ＳＷ２が発生しているか否か）を判定する。ＳＷ２が発生している場合、処理はＳ３１３へ進む。ＳＷ２が発生していない場合、処理はＳ３１４へ進む。
【００４４】
Ｓ３１３で、システム制御部５０は、撮像部２２からの信号読み出しから記録媒体２００に画像データを書き込むまでの一連の静止画撮影処理を実行する。その後、本フローチャートの処理は終了する。
【００４５】
Ｓ３１４で、システム制御部５０は、ピントリング７が操作されたか否か（即ち、ピントリング７が回転されたか否か）を判定する。ピントリング７が操作された場合、処理はＳ３１５へ進む。ピントリング７が操作されていない場合、処理はＳ３１２へ戻る。
【００４６】
Ｓ３１５で、システム制御部５０は、ピントリング７の操作方向が合焦度が上がる方向であるか否か（即ち、合焦度が上がる方向にフォーカスレンズが移動するか否か）を判定する。合焦度が上がる方向の場合、処理はＳ３１６へ進み、合焦度が下がる方向の場合処理はＳ３１７へ進む。
【００４７】
Ｓ３１６で、システム制御部５０は、合焦度閾値ＦｃｓＰｔＴｈをＴｈ＿ｕｐにセットする。他方、Ｓ３１７では、システム制御部５０は、合焦度閾値ＦｃｓＰｔＴｈをＴｈ＿ｄｏｗｎにセットする。ここで、Ｔｈ＿ｕｐは、Ｔｈ＿ｄｏｗｎよりも高い。即ち、合焦度閾値は、合焦度が上がる方向にフォーカスレンズが移動する場合、合焦度が下がる方向にフォーカスレンズが移動する場合よりも高い。
【００４８】
Ｓ３１８で、システム制御部５０は、ＦｃｓＰｔがＦｃｓＰｔＴｈ以上であるか否かを判定する。ＦｃｓＰｔがＦｃｓＰｔＴｈ以上である場合（即ち、合焦度が合焦度閾値以上である場合）、処理はＳ３１９へ進む。ＦｃｓＰｔがＦｃｓＰｔＴｈ以上でない場合（即ち、合焦度が合焦度閾値未満である場合）、処理はＳ３２０へ進む。
【００４９】
Ｓ３１９で、システム制御部５０は、フォーカス操作感度を低感度に決定し、フォーカスレンズを低感度で駆動する。他方、Ｓ３２０では、システム制御部５０は、フォーカス操作感度を高感度に決定し、フォーカスレンズを高感度で駆動する。従って、ピントリング７の単位操作量あたりのフォーカスレンズの移動量は、合焦度ＦｃｓＰｔが合焦度閾値ＦｃｓＰｔＴｈ以上である場合、合焦度ＦｃｓＰｔが合焦度閾値ＦｃｓＰｔＴｈ未満である場合よりも小さい。
【００５０】
図４は、フォーカスガイドアイコンの表示態様を説明する図である。撮影画面４０１は、デジタルカメラ１００の表示部２８に表示される画面であり、ライブビュー画像（撮影範囲に対応する撮像画像）を含む。撮影画面４０１は、ピント調整を行う前の状態に対応する。
【００５１】
被写体４０２は、現在ピントが合っている被写体である。被写体４０３は、ユーザがピントを合わせたい被写体（即ち、選択被写体）である。被写体４０４は、デジタルカメラ１００の光軸上から見て被写体４０２と被写体４０３の間の位置にある被写体である。被写体４０５は、デジタルカメラ１００の光軸上から見て被写体４０３よりもデジタルカメラ１００に近い位置にある被写体である。選択枠４０６は、選択被写体の領域を示す枠である。
【００５２】
フォーカスガイドアイコン４０７、４０８、４０９は、選択被写体（被写体４０３）の合焦度を示す画像である。即ち、図４の例では、フォーカスガイドアイコンは３つの三角形から構成される。以下の説明において、各三角形の最も短い辺を底辺と呼ぶ。フォーカスガイドアイコン４０８の底辺の中心と頂点とを通る直線と、フォーカスガイドアイコン４０９の底辺の中心と頂点とを通る直線とが成す角（フォーカスガイドアイコン４０７側の角）の角度は、選択被写体（被写体４０３）の合焦度に応じて変化する。合焦度が低いほど、角度は大きくなる。即ち、フォーカスガイドアイコン４０７、４０８、４０９は、合焦度に応じて角度が変化する図形を含む。また、フォーカスガイドアイコン４０７、４０８、４０９は、フォーカス操作感度に応じて（即ち、合焦度が合焦度閾値以上であるか否かに応じて）異なる色で表示される。従って、フォーカスガイドアイコン４０７、４０８、４０９は、変化する色によりフォーカス操作感度を示す。
【００５３】
撮影画面４０１の状態では、ピントは被写体４０２の位置であり、フォーカスガイドアイコン４０７、４０８、４０９は、被写体４０３に対する合焦度が低い状態に対応する角度で表示されている。また、フォーカスガイドアイコン４０７、４０８、４０９は、フォーカス操作感度が高感度であることを示す色（ここでは、白）で表示されている。
【００５４】
ガイド線４１０は、フォーカス操作感度の変化点をユーザに示す画像である。フォーカスガイドアイコン４０８及び４０９の角度がガイド線４１０の角度より小さければフォーカス操作感度は高感度であり、この角度がガイド線４１０の角度より大きければフォーカス操作感度は低感度である。即ち、ガイド線４１０は、合焦度が合焦度閾値に等しい場合に対応するフォーカスガイドアイコン４０８及び４０９の角度を示す画像である。
【００５５】
ピントリング７が、ピントリング回転量４３１により示されるように回転されると、撮影画面４０１は撮影画面４１１に変化する。撮影画面４１１は、ピント調整を行っている途中の状態に対応する。
【００５６】
被写体４１２は、被写体４０２に対応する被写体であるが、撮影画面４１１の状態ではピントが外れている。被写体４１３は、ユーザがピントを合わせたい被写体（即ち、選択被写体）である。ピントリング７が回転したことにより、撮影画面４０１の状態と比べてピント位置は被写体４１３に近付いており、合焦度は上がっている。その結果、フォーカスガイドアイコン４１７、４１８、４１９は、フォーカスガイドアイコン４０７、４０８、４０９と比べて、合焦度を示す角度が小さい。また、フォーカスガイドアイコン４０７、４０８、４０９は、フォーカス操作感度が低感度ことを示す色（ここでは、グレー）で表示されている。
【００５７】
ピントリング７が、ピントリング回転量４３２により示されるように更に回転されると、撮影画面４１１は撮影画面４２１に変化する。撮影画面４２１は、ピント調整によりピント位置が選択被写体の位置となった状態に対応する。
【００５８】
被写体４２２は、被写体４０２に対応する被写体であるが、撮影画面４２１の状態ではピントが撮影画面４１１の状態よりも更に外れている。被写体４２３は、ユーザがピントを合わせたい被写体（即ち、選択被写体）である。ピントリング７が回転したことにより、ピント位置が被写体４２３に合っており、合焦度は最大となっている。その結果、フォーカスガイドアイコン４２７、４２８、４２９において、合焦度を示す角度は最小（０度）となっている。また、フォーカスガイドアイコン４２７、４２８、４２９は、フォーカス操作感度が低感度であることを示すと共に合焦度が最大であることを示す色（ここでは、黒）で表示されている。
【００５９】
ここまでは、フォーカス操作感度に応じて（即ち、合焦度が合焦度閾値以上であるか否かに応じて）撮影画面の表示態様を変化させる構成の例として、フォーカスガイドアイコンの色を変化させる構成について説明したが、他の構成を採用することも可能である。以下では、図７及び図８を参照して、撮影画面の表示態様を変化させる構成の他の例について説明する。
【００６０】
図７は、フォーカス操作感度に応じてＭＦピーキングの色を変化させる構成を説明する図である。図７の例において、ＭＦピーキングとは、被写体のエッジ部分をピント位置からのズレ量に応じて異なる態様で強調表示する処理を意味する。しかしながら、本実施形態のＭＦピーキングは図７に示す処理に限定されず、例えば、ピント位置にある被写体のエッジ部分を強調表示する処理であってもよい。
【００６１】
撮影画面７０１、７１１は、デジタルカメラ１００の表示部２８に表示される画面であり、ライブビュー画像（撮影範囲に対応する撮像画像）を含む。撮影画面７０１は、フォーカス操作感度が高感度の場合のＭＦピーキングの表示態様を表しており、撮影画面７１１は、フォーカス操作感度が低感度の場合のＭＦピーキングの表示態様を表している。被写体７０２、７０３、７０４のエッジ部分は、被写体７１２、７１３、７１４のエッジ部分に比べて薄い色で強調表示されている。即ち、図７の例では、フォーカス操作感度に応じてＭＦピーキングの色の濃淡が変化する。なお、ＭＦピーキングの色の濃淡を変化させる代わりに、ＭＦピーキングの色の明暗を変化させてもよい。
【００６２】
図８は、フォーカス操作感度に応じて撮像部２２から被写体までの距離を示す撮影距離情報表示の色を変化させる構成を説明する図である。撮影画面８０１、８１１は、デジタルカメラ１００の表示部２８に表示される画面であり、ライブビュー画像（撮影範囲に対応する撮像画像）を含む。撮影画面８０１は、フォーカス操作感度が高感度の場合の撮影距離情報の表示態様を表しており、撮影画面８１１は、フォーカス操作感度が低感度の場合の撮影距離情報の表示態様を表している。
【００６３】
撮影距離バー８０２、８１２は、撮像部２２から被写体までの距離を示す。撮影距離バー８０２、８１２の上部に距離が表示されている。現在地指標８０３、８１３は、撮像部２２から被写体までの現在の距離を示す。現在地指標８０３は、現在地指標８１３に比べて薄い色で表示される。即ち、図８の例では、フォーカス操作感度に応じて現在地指標の色の濃淡が変化する。なお、現在地指標の色の濃淡を変化させる代わりに、現在地指標の色の明暗を変化させてもよい。
【００６４】
以上説明したように、第１の実施形態によれば、デジタルカメラ１００は、ピントリング７が操作されたことに応じてフォーカスレンズを駆動する。この駆動におけるピントリング７の単位操作量あたりのフォーカスレンズの移動量は、選択被写体の合焦度が合焦度閾値以上である場合、合焦度が合焦度閾値未満である場合よりも小さい（図３のＳ３１８〜Ｓ３２０参照）。また、合焦度閾値は、合焦度が上がる方向にフォーカスレンズが移動する場合、合焦度が下がる方向にフォーカスレンズが移動する場合よりも高い（図３のＳ３１５〜Ｓ３１７参照）。従って、マニュアルフォーカス時において、フォーカスレンズが選択被写体の合焦位置を通り過ぎてしまった場合に、フォーカス操作感度が鈍感から敏感へ戻りにくくなり、ピント合わせの操作性が向上する。
【００６５】
［第２の実施形態］
第２の実施形態では、マニュアルフォーカス時において、選択被写体の合焦度合いと、ピントリング７の回転速度に応じて、フォーカス操作感度を決定する処理について説明する。第２の実施形態において、デジタルカメラ１００の基本的な構成は第１の実施形態と同様である（図１及び図２参照）。以下、主に第１の実施形態と異なる点について説明する。
【００６６】
図５は、第２の実施形態に係る撮影処理のフローチャートである。本フローチャートの各ステップの処理は、特に断らない限り、システム制御部５０が不揮発性メモリ５６に記録されたプログラムをシステムメモリ５２に展開して実行することにより実現される。
【００６７】
Ｓ５０１で、ピントリング７の操作速度（回転速度）が速度に関する閾値である速度閾値以上であるか否かを判定する。操作速度が速度閾値以上である場合、処理はＳ３２０に進む。従って、操作速度が速度閾値以上である場合、システム制御部５０は、選択被写体の合焦度に関わらず、フォーカス操作感度に高感度に決定する。他方、操作速度が速度閾値未満である場合、処理はＳ３１５に進む。
【００６８】
なお、図５の例では、操作速度が速度閾値以上である場合のフォーカス操作感度は、操作速度が速度閾値未満であって合焦度が合焦度閾値未満である場合と等しいが、本実施形態はこれに限定されない。操作速度が速度閾値以上である場合のフォーカス操作感度は、操作速度が速度閾値未満であって合焦度が合焦度閾値以上である場合よりも高い限り、任意の感度であってよい。換言すると、ピントリング７の操作速度が速度閾値以上である場合、ピントリング７の単位操作量あたりのフォーカスレンズの移動量は、合焦度に関わらず、操作速度が速度閾値未満であって合焦度が合焦度閾値以上である場合よりも大きい。
【００６９】
以上説明したように、第２の実施形態によれば、デジタルカメラ１００は、ピントリング７が操作されたことに応じてフォーカスレンズを駆動する。この駆動におけるピントリング７の単位操作量あたりのフォーカスレンズの移動量は、選択被写体の合焦度が合焦度閾値以上である場合、合焦度が合焦度閾値未満である場合よりも小さい（図５のＳ３１８〜Ｓ３２０参照）。ピントリング７の操作速度が速度閾値以上である場合、この駆動におけるピントリング７の単位操作量あたりのフォーカスレンズの移動量は、合焦度に関わらず、操作速度が速度閾値未満であって合焦度が合焦度閾値以上である場合よりも大きい（図５のＳ５０１参照）。従って、マニュアルフォーカス時において、合焦度が高い場合であっても必要に応じてフォーカスレンズを高感度で駆動することが可能となり、ピント合わせの操作性が向上する。
【００７０】
［第３の実施形態］
第３の実施形態では、マニュアルフォーカス時において、ユーザが選択被写体に対する目標合焦度を設定することを可能にする構成について説明する。第３の実施形態において、デジタルカメラ１００の基本的な構成は第１の実施形態と同様である（図１及び図２参照）。以下、主に第１の実施形態と異なる点について説明する。
【００７１】
図６は、目標合焦度の設定画面６０１を示す図である。ユーザは、例えば操作部７０に対する所定の操作を行うことにより、デジタルカメラ１００に設定画面６０１を表示させることができる。タイトル６０２は、設定画面６０１のタイトルを示す。
【００７２】
設定画面６０１において、ユーザは、十字キー７４を用いてカーソル６０６を上下に移動させることにより、目標合焦度としてジャスト６０３、前ボケ６０４、又は後ろボケ６０５を選択することができる。システム制御部５０は、ユーザが選択した目標合焦度を取得する。
【００７３】
図３及び図５のＳ３１０において、システム制御部５０は、目標合焦度に基づいて、合焦度ＦｃｓＰｔに対応するフォーカスガイドアイコンの角度を決定する。フォーカスガイドアイコンは、選択被写体の合焦度が目標合焦度に等しい場合に、選択被写体が合焦状態であることを示す角度で表示される。従って、例えば目標合焦度として前ボケ６０４が選択された場合、選択被写体が前ボケ状態になると、図４に示すフォーカスガイドアイコン４２７、４２８、４２９が表示される。
【００７４】
以上説明したように、第３の実施形態によれば、デジタルカメラ１００は、ユーザが選択した目標合焦度を取得し、選択被写体の合焦度が目標合焦度に等しい場合に、選択被写体が合焦状態であることを示す角度でフォーカスガイドアイコンを表示する。従って、マニュアルフォーカス時のピント合わせの操作性が向上する。
【００７５】
［第４の実施形態］
第４の実施形態では、マニュアルフォーカス時において、選択被写体の合焦度に応じてフォーカス操作を無効にする構成について説明する。第４の実施形態において、デジタルカメラ１００の基本的な構成は第１の実施形態と同様である（図１及び図２参照）。以下、主に第１の実施形態と異なる点について説明する。
【００７６】
図９は、時間とピント位置移動量の関係に関する図である。図９（ａ）は、時間とピント位置移動量が比例する場合の図である。横軸９０１は時間、縦軸９０２はピント位置移動量、破線９０３は選択被写体のピント位置に対応するピント位置移動量である。図９（ａ）は、ピントリング７を一定の速度で操作して選択被写体に合焦した場合や、オートフォーカスで合焦した場合に対応する。
【００７７】
図９（ｂ）は、時間とピント位置移動量が比例する場合の図である。図９（ｂ）では、図９（ａ）と比べて、長い時間をかけてピント位置の移動が行われている。図９（ｂ）は、ピントリング７を一定の速度でゆっくり操作して選択被写体に合焦した場合や、オートフォーカスでゆっくり合焦した場合に対応する。
【００７８】
図９（ｃ）は、時間とピント位置移動量が比例しない場合の図である。選択被写体のピント位置付近までピント位置は素早く移動するが、その後、ピント位置は選択被写体のピント位置までゆっくり移動する。
【００７９】
図９（ｄ）は、時間とピント位置移動量が比例しない場合の図である。最初のピント位置付近ではピント位置はゆっくり移動するが、その後、ピント位置は選択被写体のピント位置まで素早く移動する。
【００８０】
動画撮影において、ピント位置の移動による被写体や背景のぼかしは表現方法の１つであるため、ピント位置をユーザが自由に操作できるよう、マニュアルフォーカスが用いられることがある。しかし、ピント位置を特定のピント位置（例えば、選択被写体のピント位置）で正確に止めるようにマニュアルフォーカスを行うことは、ユーザにとって容易ではない。
【００８１】
図１０は、ピントリング７の操作量とピント位置移動量の関係に関する図である。図１０（ａ）は、ピントリング７の操作量とピント位置移動量が比例する場合の図である。横軸１００１はピントリング７の操作量、縦軸１００２はピント位置移動量、破線１００３は選択被写体のピント位置に対応するピント位置移動量である。図１０（ａ）では、選択被写体に合焦した後も、ピントリング７の操作量に比例してピント位置が変化する。
【００８２】
図１０（ｂ）は、ピント位置が選択被写体のピント位置まで移動した後は、ピントリング７を操作してもピント位置が移動しない場合の図である。符号１００４に対応するピント位置（即ち、選択被写体のピント位置）まではピントリング７の操作量とピント位置移動量が比例するが、選択被写体に合焦した後はピントリング７を操作してもピント位置が移動しない。そのため、マニュアルフォーカスでもピント位置を選択被写体のピント位置で止めることが容易である。
【００８３】
図１０（ｃ）は、ピント位置が選択被写体のピント位置まで移動した後は、ピントリング７を操作してもピント位置が一定期間移動せず、その後ピント位置が移動するようになる場合の図である。図１０（ｂ）の場合と同様、選択被写体のピント位置でピント位置は止まるが、符号１００６のタイミング以降はピントリング７の操作量とピント位置移動量が比例する。符号１００５のタイミングから符号１００６のタイミングの間にピントリング７を所定量操作したり、符号１００６のタイミングでピントリングの操作を所定時間止めたりすることで、ピント位置の移動が再開する。
【００８４】
図１０（ｄ）は、ピント位置が選択被写体のピント位置まで移動した後は、ピントリング７を操作してもピント位置が一定期間移動せず、その後ピント位置が移動するようになる場合の図である。破線１００７及び破線１００８は、破線１００３のピント位置から所定量移動したピント位置を示す。符号１０１０のタイミングまでは図１０（ｃ）の符号１００６のタイミングまでと同様である。ピント位置の移動が再開した後、破線１００７を超えない位置１０１１でピントリング７の操作を止め、ピントリング７を逆方向に操作した場合が図示されている。選択被写体のピント位置（符号１０１０のタイミング）でピントリング７の操作は無効にならず、ピントリング７の操作に応じてピント位置が移動する。ピント位置が選択被写体のピント位置から所定量移動しなかったことから、システム制御部５０は選択被写体のピント微調整中と判断し、ピント位置が選択被写体のピント位置の前後に移動できるようにする。
【００８５】
図１０（ｅ）は、ピント位置が選択被写体のピント位置まで移動した後は、ピントリング７を操作してもピント位置が一定期間移動せず、その後ピント位置が移動するようになる場合の図である。符号１０１４のタイミングまでは図１０（ｄ）の符号１０１０のタイミングまでと同様である。ピント位置の移動が再開した後、破線１００７を超えるピント位置１０１５でピントリング７の操作を止め、ピントリング７を逆方向に操作した場合が図示されている。この場合、符号１０１４のピント位置でピントリング７を更に操作しても、ピント位置は移動しない。選択被写体のピント位置から所定量移動したことから、システム制御部５０は選択被写体のピント微調整中ではなく別の被写体にピント移動したと判断し、選択被写体のピント位置でピント位置が移動しないようにする。
【００８６】
図１１は、マニュアルフォーカス時において、所定のピント位置でピントリング７による操作を無効にする設定に関する各種画面を示す図である。図１１（ａ）は、現在の設定の表示画面である。設定１１０１は、ピントリング７の操作を無効にする設定の表示である。
【００８７】
図１１（ｂ）は、ピントリング７の操作を無効にする設定を変更する表示画面である。ユーザは、設定１１０２、１１０３、１１０４の中から１つを選択できる。設定１１０２は、ピントリング７の操作を無効にしない設定である。設定１１０３は、ピント位置が被写体のピント位置の時に、ピントリング７の操作を無効にする設定である。設定１１０４は、ピント位置がユーザが指定したピント位置の時に、ピントリング７の操作を無効にする設定である。
【００８８】
図１１（ｃ）は、図１１（ｂ）で設定１１０４を選択した場合においてユーザがピント位置を指定するための表示画面である。ユーザがピントリング７を操作することで、フォーカスガイドアイコン１１０５が変化する。ユーザがＳＥＴボタン７５を押下することで、ピント位置を指定することができる。
【００８９】
図１１（ｄ）は、図１１（ｃ）の状態からユーザがピントリング７を操作することによりフォーカスガイドアイコン１１０５がフォーカスガイドアイコン１１０６に変化した状態を示す図である。
【００９０】
図１２は、マニュアルフォーカス時において、選択被写体の合焦度に応じてピントリング７の操作を無効にする処理と、そのときのフォーカスガイドアイコンの表示に関する説明図である。
【００９１】
撮影画面１２０１は、デジタルカメラ１００の表示部２８に表示される画面であり、ライブビュー画像（撮影範囲に対応する撮像画像）を含む。撮影画面１２０１は、ピント調整を行う前の状態に対応する。
【００９２】
ピントリング７が、ピントリング回転量１２４１により示されるように回転されると、撮影画面１２０１は撮影画面１２１１に変化する。撮影画面１２１１は、ピント調整によりピント位置が選択被写体の位置となった状態に対応する。選択被写体１２１３の合焦度が最大となり、フォーカスガイドアイコン１２１７、１２１８、１２１９は、図４のフォーカスガイドアイコン４２７、４２８、４２９と同等の表示になる。
【００９３】
ピントリング７が、ピントリング回転量１２４２により示されるように回転されると、撮影画面１２１１は撮影画面１２２１に変化する。撮影画面１２２１は、ピント位置が選択被写体の位置で停止した状態に対応する。選択被写体１２２３は、選択被写体１２１３と同様に合焦度が最大のままである。フォーカスガイドアイコン１２２７、１２２８、１２２９は、ピントリング７の操作が無効になっていることを示す色の表示になる。
【００９４】
ピントリング７が、ピントリング回転量１２４３により示されるように回転されると、撮影画面１２２１は撮影画面１２３１に変化する。撮影画面１２３１は、撮影画面１２２１の状態においてピントリング７の操作を一度停止し、再度ピントリング７を操作した状態に対応する。ピントリング７が更に回転したことにより、選択被写体１２３３の合焦度は、選択被写体１２２３と比べて下がっている。
【００９５】
図１３は、第４の実施形態に係る撮影処理のフローチャートである。本フローチャートの各ステップの処理は、特に断らない限り、システム制御部５０が不揮発性メモリ５６に記録されたプログラムをシステムメモリ５２に展開して実行することにより実現される。
【００９６】
Ｓ１３０１で、システム制御部５０は、ライブビュー表示を開始する。Ｓ１３０２で、システム制御部５０は、合焦対象の被写体（領域）を選択する。Ｓ１３０３で、システム制御部５０は、選択被写体の合焦度を取得する。Ｓ１３０４で、システム制御部５０は、フォーカスガイドアイコンを選択被写体上に重畳表示する。
【００９７】
Ｓ１３０５で、システム制御部５０は、第２シャッタースイッチ６４が押下されたか否か（ＳＷ２が発生しているか否か）を判定する。ＳＷ２が発生している場合、処理はＳ１３２３へ進む。ＳＷ２が発生していない場合、処理はＳ１３０６へ進む。
【００９８】
Ｓ１３０６で、システム制御部５０は、ピントリング７が操作されたか否か（即ち、ピントリング７が回転されたか否か）を判定する。ピントリング７が操作された場合、処理はＳ１３０７へ進む。ピントリング７が操作されていない場合、処理はＳ１３０５へ戻る。
【００９９】
Ｓ１３０７で、システム制御部５０は、変数Ｔ２に変数Ｔ１の値を代入し、変数Ｔ１に現在時刻を代入する。ここで、変数Ｔ１は、ピントリング７の今回の操作時刻を記憶するための変数であり、変数Ｔ２は、ピントリング７の前回の操作時刻を記憶するための変数である。
【０１００】
Ｓ１３０９で、システム制御部５０は、Ｔ１とＴ２との差が閾値未満であるか否かを判定する。Ｔ１とＴ２との差が閾値未満である場合、処理はＳ１３１０に進み、そうでない場合、処理はＳ１３１５に進む。
【０１０１】
Ｓ１３１０で、システム制御部５０は、ピントリング７の今回の操作方向（回転方向）が前回の操作方向と一定しているか否かを判定する。一致している場合、処理はＳ１３１１に進み、そうでない場合、処理はＳ１３１５に進む。
【０１０２】
Ｓ１３０９及びＳ１３１０の判定は、ピントリング７の操作が継続中であるか否か（Ｓ１３０６において判定されたピントリング７の今回の操作が前回の操作から継続しているか否か）を判定するために行われる。Ｔ１とＴ２との差が閾値未満であり、かつ、今回と前回の操作方向が一致している場合、ピントリング７の操作が継続中であると考えられる。
【０１０３】
Ｓ１３１１で、システム制御部５０は、合焦調整中フラグがＯＮであるか否かを判定する。合焦調整中フラグがＯＮであるということは、合焦度が最大になった後にフォーカスの微調整が行われている状態であることを示す。合焦調整中フラグがＯＮの場合、処理はＳ１３１６に進む。合焦調整中フラグがＯＮでない場合、処理はＳ１３１２に進む。
【０１０４】
Ｓ１３１２で、システム制御部５０は、現在の合焦度が最大であるか否か（選択被写体が合焦状態であるか否か）を判定する。合焦度が最大の場合、処理はＳ１３１３に進む。合焦度が最大でない場合、処理はＳ１３１７に進む。なお、図１３に記載したＳ１３１２の処理の例は、図１１（ｂ）において設定１１０３が選択された場合に対応する。設定１１０４が選択された場合には、システム制御部５０は、現在の合焦度が最大であるか否かを判定する代わりに、現在の合焦度がユーザに指定された合焦度であるか否かを判定する。
【０１０５】
Ｓ１３１３で、システム制御部５０は、合焦調整中フラグをＯＮにセットする。Ｓ１３１４では、システム制御部５０は、合焦維持フラグをＯＮにセットする。合焦維持フラグがＯＮであるということは、フォーカス操作が無効であるということ（ピントリング７の操作が継続中であってもフォーカスレンズの駆動を停止する制御を行うこと）を意味する。
【０１０６】
Ｓ１３１５で、システム制御部５０は、合焦維持フラグをＯＦＦにセットする。Ｓ１３１５の処理が行われるのは、Ｓ１３０９においてＴ１とＴ２との差が閾値以上であると判定された場合、又はＳ１３１０においてピントリング７の今回と前回の操作方向が一致していないと判定された場合である。即ち、ピントリング７の今回の操作が前回の操作から継続したものではない場合に、合焦維持フラグがＯＦＦになる。
【０１０７】
Ｓ１３１６で、システム制御部５０は、合焦維持フラグがＯＮであるか否かを判定する。合焦維持フラグがＯＮの場合、処理はＳ１３０５に戻る。これにより、フォーカス操作を無効にする制御（ピントリング７の操作が継続中であってもフォーカスレンズの駆動を停止する制御）が実現する。合焦維持フラグがＯＮでない場合、処理はＳ１３１７に進む。
【０１０８】
Ｓ１３１７で、システム制御部５０は、ピントリング７の回転方向が右方向であるか否かを判定する。右方向の場合（ピントリング７に対して第１の操作が行われている場合）、処理はＳ１３１９に進む。右方向でない場合（ピントリング７に対して第２の操作が行われている場合）、処理はＳ１３１８に進む。
【０１０９】
Ｓ１３１８で、システム制御部５０は、ピント位置を進める方向にフォーカスレンズを駆動し、合焦度を取得する。Ｓ１３１９で、システム制御部５０は、ピント位置を戻す方向にフォーカスレンズを駆動し、合焦度を取得する。
【０１１０】
Ｓ１３２０で、システム制御部５０は、現在の合焦度に基づいてフォーカスガイドアイコンの表示を更新する。また、合焦維持フラグがＯＮである場合、システム制御部５０は、例えば図１２のフォーカスガイドアイコン１２２７、１２２８、１２２９に示すように、ピントリング７の操作が無効になっていることを示す態様でフォーカスガイドアイコンを表示する。
【０１１１】
Ｓ１３２１で、システム制御部５０は、合焦度が最大になった後のフォーカスレンズの移動量が閾値以上であるか否かを判定する。移動量が閾値以上である場合、処理はＳ１３２２に進み、そうでない場合、処理はＳ１３０５に進む。
【０１１２】
Ｓ１３２２で、システム制御部５０は、合焦調整中フラグをＯＦＦにセットする。合焦調整中フラグがＯＮの場合、Ｓ１３１１からＳ１３１２への処理の遷移が発生しないため、Ｓ１３１４の処理が実行されることがない。そのため、合焦度が再び最大になっても、合焦維持フラグはＯＮにならず、フォーカス操作は無効にならない。他方、合焦調整中フラグがＯＦＦの場合、合焦度が再び最大になると、合焦維持フラグがＯＮになり、フォーカス操作が無効になる。その結果、図１０（ｄ）及び図１０（ｅ）を参照して説明した制御が実現する。例えば、ピントリング７に対する左方向の回転操作が継続中に合焦度が最大になり、フォーカスレンズのピント位置を進める方向への駆動が停止した場合を考える。ピントリング７に対する左方向の回転操作が中断した後に再開すると、Ｓ１３１５の処理により合焦維持フラグがＯＦＦになり、フォーカスレンズのピント位置を進める方向への駆動が再開する。その後、ピントリング７に対する左方向の回転操作が終了して右方向の回転操作が開始し、右方向の回転操作の継続中に合焦度が再び最大（目標合焦度の一例）になった場合を考える。この場合において、フォーカスレンズのピント位置を進める方向への駆動を再開してから左方向の回転操作が終了するまでの間のフォーカスレンズの移動量が閾値以上であればフォーカスレンズのピント位置を戻す方向への駆動が停止する。即ち、合焦度が再び最大になったタイミングでフォーカス操作が再び無効になる。一方、フォーカスレンズのピント位置を進める方向への駆動を再開してから左方向の回転操作が終了するまでの間のフォーカスレンズの移動量が閾値未満であればフォーカスレンズのピント位置を戻す方向への駆動が継続する。即ち、合焦度が再び最大になったタイミングでフォーカス操作は無効にならない。
【０１１３】
Ｓ１３２３で、システム制御部５０は、システム制御部５０は、撮像部２２からの信号読み出しから記録媒体２００に画像データを書き込むまでの一連の静止画撮影処理を実行する。その後、本フローチャートの処理は終了する。
【０１１４】
以上説明したように、第４の実施形態によれば、デジタルカメラ１００は、ピントリング７に対して第１の操作（例えば、左方向の回転操作）が行われたことに応じてフォーカスレンズを第１の方向（例えば、ピント位置を進める方向）に駆動する。デジタルカメラ１００は、第１の操作の継続中に合焦度が目標合焦度になった場合、フォーカスレンズの第１の方向への駆動を停止し、この停止の後に第１の操作が中断して再開した場合、フォーカスレンズの第１の方向への駆動を再開する。従って、マニュアルフォーカス時において、合焦度を目標合焦度に一致させることが容易になり、ピント合わせの操作性が向上する。
【０１１５】
なお、Ｓ１３１６において、システム制御部５０は更に、合焦維持フラグがＯＮになってフォーカスレンズの駆動が停止した後も継続してピントリング７に対する所定の操作量の操作が行われたか否かを判定してもよい。所定の操作量の操作が継続した場合、処理はＳ１３０５に戻らず、Ｓ１３１５に進む。従って、フォーカスレンズの駆動停止後にピントリング７に対する操作が中断せずに継続して所定の操作量の操作が行われた場合、フォーカスレンズの駆動を再開する制御が行われる。
【０１１６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１７】
７…ピントリング、１１…焦点検出部、５０…システム制御部、５２…システムメモリ、５６…不揮発性メモリ、７０…操作部、１００…デジタルカメラ、１０３…レンズ、１５０…レンズ部
【図１】
2020012890.tif 000003
【図２】
2020012890.tif 000004
【図３】
2020012890.tif 000005
【図４】
2020012890.tif 000006
【図５】
2020012890.tif 000007
【図６】
2020012890.tif 000008
【図７】
2020012890.tif 000009
【図８】
2020012890.tif 000010
【図９】
2020012890.tif 000011
【図１０】
2020012890.tif 000012
【図１１】
2020012890.tif 000013
【図１２】
2020012890.tif 000014
【図１３】
2020012890.tif 000015